(57)【要約】【課題】軒樋と取付面との間の小間隙に集水器の屋内側耳部係止片を容易に挿入できる集水器の取付構造を提供する。【解決手段】集水器本体部３０は、屋内側壁部３２の上端部の両側端部から屋外側に向けて突出する屋内側耳部係止片３７と、屋外側壁部３３の上端部の両側端部から屋内側に向けて突出する突出する屋外側耳部係止片４１とを備える。集水器本体部３０の両端部を各軒樋２の長手方向の端部に下方から被嵌する。各屋内側耳部係止片３７、各屋外側耳部係止片４１を屋内側耳部９、屋外側耳部１１に係止する。屋内側耳部係止片３７から上方に向けて突出するガイド片４６を設ける。ガイド片４６の屋外側の端面の下端を屋内側耳部係止片３７の屋外側の端部に接続する。ガイド片４６の屋外側の端面を上方に行く程屋内側に位置するように傾斜するガイド傾斜面４４とする。【選択図】図１
2008081984.tif 000002
【特許請求の範囲】
【請求項１】
一対の軒樋の長手方向の端部同士を隙間を介して対向させると共に各軒樋を吊具を介して軒先の取付面に取付け、集水器の断面略Ｕ字状の集水器本体部は、底部に形成した排水口と、屋内側壁部の上端部の両側端部から屋外側に向けて突出する屋内側耳部係止片と、屋外側壁部の上端部の両側端部から屋内側に向けて突出する屋外側耳部係止片とを備え、該集水器本体部の軸方向の両端部を各軒樋の長手方向の端部に下方から被嵌し、各屋内側耳部係止片を対応する軒樋の屋内側の外面と前記取付面との間に形成された小間隙を通過させて軒樋の屋内側耳部に係止し、各屋外側耳部係止片を対応する軒樋の屋外側耳部に係止した集水器の取付構造において、屋内側耳部係止片から上方に向けて突出するガイド片を設け、該ガイド片の屋外側の端面の下端を屋内側耳部係止片の屋外側の端部に接続し、該ガイド片の屋外側の端面を上方に行く程屋内側に位置するように傾斜するガイド傾斜面としたことを特徴とする集水器の取付構造。
【請求項２】
前記集水器本体部の屋内側壁部の屋内側耳部係止片に対応する部分に、屋内側壁部を上方に延出してなる縦片部と、縦片部の上部から屋外側に向けて突出するが前記ガイド傾斜面よりも屋外側には突出しない横片部とを設け、横片部に上下に貫通する線材挿通用孔を形成して成ることを特徴とする請求項１に記載の集水器の取付構造。
【請求項３】
前記縦片部と縦片部の上端部から突出した横片部で構成した逆Ｌ字状片の一端をガイド片に一体に接続してなることを特徴とする請求項２に記載の集水器の取付構造。
【発明の詳細な説明】
【技術分野】
【０００１】
本発明は軒樋の長手方向の端部に両端が接続される集水器の取付構造に関する。
【背景技術】
【０００２】
従来、一対の軒樋の長手方向の端部同士を隙間を介して対向するように軒先の取付面に取付け、このように取付けた一対の軒樋の長手方向の端部間に跨って取付けられる集水器が知られている。
【０００３】
この集水器１は例えば図５に示すように断面略Ｕ字状の集水器本体部３０を備え、集水器本体部３０の屋内側壁部の上端部から屋外側に向けて屋内側耳部係止片３７を突出し、集水器本体部３０の屋外側壁部の上端部から屋内側に屋外側耳部係止片４１を突出している。そして集水器本体部３０の軸方向の両端部を各軒樋２の長手方向の端部に下方から被嵌すると共に、屋内側耳部係止片３７を軒樋２の屋内側耳部９に係止し、屋外側耳部係止片４１を軒樋２の屋外側耳部１１に係止することで軒樋２に接続される。
【０００４】
ここで上記集水器１が接続される両側の軒樋２は軒先の取付面４に吊具３を用いて取付けられる。吊具３はその一端部に設けた固定板１６を釘などの固着具により取付面４に取付ける。そして吊具３の屋内側耳保持部２２に軒樋２の屋内側耳部９を係止すると共に、屋外側耳保持部２１に軒樋２の屋外側耳部１１を係止することで、軒樋２の長手方向の任意の位置が吊具３で支持されて軒樋２が取付面４に沿って取付けられる。例えば特許文献１にはこの種の吊具が開示してある。
【０００５】
またこの種の軒樋２は軒先との外観上の一体感を出すために、軒樋２を取付面４にできる限り近づけた状態で軒先に取付けられ、図５では軒樋２を取付面４よりも吊具３の固定板１６の厚み分だけ屋外側に配置し、これにより軒樋２の屋内側の外面を小間隙２７を介して取付面４に沿わせている。
【０００６】
ここで上記のように軒樋２を取付面４に近づけて設置した時に集水器１を軒樋２に取付ける場合には、屋内側耳部係止片２２を軒樋２２の屋内側の外面と取付面４との間に形成された小間隙２７に下方から挿入し、この小間隙２７を通過させた後に屋内側耳部係止片２２を屋内側耳部９に係止する必要がある。しかし軒樋２の屋内側の外面と取付面４との間の小間隙２７は非常に狭いため、集水器１の屋内側耳部係止片３７を小間隙２７に挿入し通過させることが難しく、また屋内側耳部係止片３７が軒樋２などに引っかかった状態で小間隙２７に無理に押し込めば、屋内側耳部係止片３７が軒樋２や取付面４に当たって破損する恐れもある。
【特許文献１】特開２００６−２０７２０２号公報
【発明の開示】
【発明が解決しようとする課題】
【０００７】
本発明は上記従来の問題点に鑑みて発明したものであって、屋内側耳部係止片を軒樋の屋内側の外面と取付面となる鼻板の外面との間に形成された小間隙を下方から通過させ、この後、屋内側耳部係止片を屋内側耳部に係止するにあたって、軒樋の屋内側の外面と取付面との間の小間隙に集水器の屋内側耳部係止片を容易に挿入し通過させることができる集水器の取付構造を提供することを課題とするものである。
【課題を解決するための手段】
【０００８】
上記課題を解決するために本発明に係る集水器の取付構造は、一対の軒樋２の長手方向の端部同士を隙間を介して対向させると共に各軒樋２を吊具３を介して軒先の取付面４に取付け、集水器１の断面略Ｕ字状の集水器本体部３０は、底部３１に形成した排水口３６と、屋内側壁部３２の上端部の両側端部から屋外側に向けて突出する屋内側耳部係止片３７と、屋外側壁部３３の上端部の両側端部から屋内側に向けて突出する突出する屋外側耳部係止片４１とを備え、該集水器本体部３０の軸方向の両端部を各軒樋２の長手方向の端部に下方から被嵌し、各屋内側耳部係止片３７を対応する軒樋２の屋内側の外面と前記取付面４との間に形成された小間隙２７を通過させて軒樋２の屋内側耳部９に係止し、各屋外側耳部係止片４１を対応する軒樋２の屋外側耳部１１に係止した集水器の取付構造において、屋内側耳部係止片３７から上方に向けて突出するガイド片４６を設け、該ガイド片４６の屋外側の端面の下端を屋内側耳部係止片３７の屋外側の端部に接続し、該ガイド片４６の屋外側の端面を上方に行く程屋内側に位置するように傾斜するガイド傾斜面４４としたことを特徴とする。このように屋内側耳部係止片３７から上方に向けて突出するガイド片４６を設け、ガイド片４６の屋外側の端面の下端を屋内側耳部係止片３７の屋外側の端部に接続し、ガイド片４６の屋外側の端面を上方に行く程屋内側に位置するように傾斜するガイド傾斜面４４としたことで、軒樋２の屋内側の外面と取付面４との間の小間隙２７に集水器１の屋内側耳部係止片３７を挿入し通過させるにあたって、ガイド片４６のガイド傾斜面４４を軒樋２の外面に沿わせるようにして、ガイド傾斜面４４で屋内側耳部係止片３７をガイドしながら小間隙２７に挿入し通過させることができる。
【０００９】
また請求項２は請求項１において、前記集水器本体部３０の屋内側壁部１３の屋内側耳部係止片３７に対応する部分に、屋内側壁部３２を上方に延出してなる縦片部４８と、縦片部４８の上部から屋外側に向けて突出するが前記ガイド傾斜面４４よりも屋外側には突出しない横片部４９とを設け、横片部４９に上下に貫通する線材挿通用孔５１を形成して成ることを特徴とする。線材挿通用孔５１を針金のような線材を挿通させるための孔として利用できる。また仮に屋内側耳部係止片３７の先端を屋外側に延出して、この延出部分に線材挿通用孔５１を形成した場合は、屋内側耳部係止片３７の屋外側への突出量が増加して、屋内側耳部係止片３７を小間隙２７に通過させ難くなったり、また小間隙２７の寸法を長くする必要があるが、本発明では、屋内側壁部３２を上方に延出してなる縦片部４８と、縦片部４８の上部から屋外側に向けて突出して前記ガイド傾斜面４４よりも屋内側に位置する横片部４９とを設け、横片部４９に線材挿通用孔５１を形成したので、前述の例のように屋内側耳部係止片３７の屋外側への突出量を大きくする必要がなくて、屋内側耳部係止片３７を小間隙２７に通過する際に支障がない。
【００１０】
また請求項３は請求項２において、前記縦片部４８と縦片部４８の上端部から突出した横片部４９で構成した逆Ｌ字状片５０の一端をガイド片４６に一体に接続してなることを特徴とする。縦片部４８と横片部４９で構成した逆Ｌ字状片５０の一端をガイド片４６に一体に接続することで、線材挿通用孔５１を形成した逆Ｌ字状片５０やガイド片４６の強度を向上できる。
【発明の効果】
【００１１】
請求項１に係る発明では、軒樋の屋内側の外面と取付面との間の小間隙に集水器の屋内側耳部係止片を挿入し通過させるにあたって、ガイド片のガイド傾斜面を軒樋の外面に沿わせるようにして、ガイド傾斜面でガイド片をガイドしながら小間隙に容易に挿入し通過させることができ、集水器の取付けが簡単になる。
【００１２】
また請求項２に係る発明では、請求項１に係る発明の効果に加えて、線材挿通用孔を針金のような線材を挿通させる孔として利用でき、線材挿通用孔に挿通した線材を吊具等に結び付けて集水器が軒樋から落下することを防止できる。また屋内側耳部係止片の屋外側への突出量を大きくする必要がなくて、前記屋内側耳部係止片の小間隙の通過に支障がない。
【００１３】
また請求項３に係る発明では、請求項１又は請求項２に係る発明の効果に加えて、縦片部と横片部で構成した逆Ｌ字状片の一端をガイド片に一体に接続して、線材挿通用孔を形成した逆Ｌ字状片やガイド片の強度を向上できる。
【発明を実施するための最良の形態】
【００１４】
以下、本発明を添付図面に示す実施形態に基づいて説明する。図１に本実施形態の一例の集水器の取付構造を示す。集水器１の軸方向の両側に接続される軒樋２は長手方向の端部同士が隙間を介して対向するように配置され、この状態で各軒樋２の長手方向の任意の位置が吊具３を介して軒先の垂直な取付面４に取付けられる。なお本例の取付面４は軒先に設けた鼻板５の外面である。
【００１５】
各軒樋２は断面略Ｕ字状の長尺な部材からなり、略水平な底板部６と、底板部６の屋内側の縁部から垂直に立ち上げた屋内側板部７と、底板部６の屋外側の縁部から立ち上げた屋外側板部８とを備えている。屋外側板部８は上方に行く程屋外側に位置するように傾斜している。
【００１６】
屋内側板部７の上端部には屋外側に向けて突出する中空の屋内側耳部９を一体に形成してあり、屋内側耳部９の下面の屋外側の端部には下方に向けて係止突起１０を突出している。
【００１７】
屋外側板部８の上端部には屋内側に向けて突出する屋外側耳部１１を形成している。屋外側耳部１１は中空の耳部本体部１４を備え、耳部本体部１４の上端部の屋外側は屋外側板部８の上端部に接続片１３を介して一体に接続されている。屋外側板部８の上端部の内面と耳部本体部１４の屋外側の面と間には差込溝１５を形成している。また耳部本体部１４の下端部からは屋外側板部８の内面に向けて抜止突部１２を突出してあり、接続片１３からは上方に向けて凸部２６を突設している。
【００１８】
吊具３は、鼻板５に固定される固定板１６と、固定板１６の上部から屋外側に突設した吊具本体１７とで構成されている。吊具本体１７は固定板１６の上部から屋外側に突出する水平なアーム部１８と、アーム部１８の先端部寄りの位置から垂下した押さえ部１９とからなる。
【００１９】
アーム部１８の基端部には屋内側及び下方に開口する段部２３を形成してあり、段部２３と対向する固定板１６との間に凹所２５を形成している。段部２３の屋外側の側面の下端には屋内側に向けて突出したフック状の屋内側耳保持部２２を形成している。固定板１６は屋内側耳保持部２２よりも下方に突出し、屋内側耳保持部２２の先端とこれに対向する固定板１６の外面との間には軒樋２の屋内側耳部９が通過できる程度の隙間２４を形成している。またアーム部１８の先端部には屋外側斜め上方に突出するフック状の屋外側耳保持部２１を形成している。
【００２０】
上記吊具３を用いて各軒樋２を軒先に取付けるには、固定板１６を釘等の固着具（図示せず）で鼻板５の外面に取付けることで、任意の位置に吊具３を取付け、これら吊具３に各軒樋２を取付ける。各軒樋２の対応する吊具３への取付けの一例を示すと、まず各軒樋２の屋外側耳保持部２１を軒樋２の抜止突部１２を越えて差込溝１５に挿入し、屋外側耳保持部２１で屋外側耳部１１を保持する。そして軒樋２を屋外側耳保持部２１で保持された屋外側耳部１１を支点として回動し、これにより屋内側耳部９を下方から隙間２４を介して凹所２５内に嵌め込み、該屋内側耳部９の係止突起１０を屋内側耳保持部２２に係止することで、屋内側耳保持部２２で屋内側耳部９を保持する。またこれと同時に押さえ部１９の下端部に形成した段部２０を軒樋２の下端屋外側の段状角部２９の内面に嵌め込み、固定板１６の下端部に設けた屋外側に突出する軒樋当部３４に軒樋２の屋内側の外面（即ち屋内側板部７の外面）に当接する。そしてこのように各軒樋２を軒先の鼻板５の外面に取付けた場合、吊具３の一端部に設けた固定板１６の下部は軒樋２の屋内側壁部１３に設けた屋内側耳部９の上端よりも下方に突出し、各軒樋２の軒樋当部３４に当てた屋内側の外面（即ち屋内側板部７の外面）と鼻板５の外面との間には固定板１６の厚み（詳しくは固定板１６の軒樋当部３４を形成した部分の厚み）分の寸法を有する小間隙２７が形成される。
【００２１】
上記のように吊具３を介して軒先に取付けられた一対の軒樋２の対向する長手方向の端部同士は集水器１によって接続される。集水器１は軒樋２の断面形状と略同じ断面略Ｕ字状の集水器本体部３０で主体を構成してあり、集水器本体部３０は、軒樋２の底板部６に対応する略水平な底部３１と、底部３１の屋内側の縁部から垂直に立ち上げた屋内側板部７に対応する屋内側壁部３２と、底部３１の屋外側の縁部から立ち上げた屋外側板部８に対応する屋外側壁部３３とを備えている。屋外側壁部３３は上方に行く程屋外側に位置するように傾斜している。
【００２２】
図３に示すように集水器本体部３０の底部３１には排水口３６を形成してあり、両側の軒樋２から集水器本体部３０内に流入した雨水を排水口３６から排出し、これを排水口３６に接続される図示しないエルボを介して竪樋側に排水できるようになっている。なお排水口３６には竪樋を直接接続しても良い。
【００２３】
集水器本体部３０の屋内側壁部３２の上端部の両側端部には屋外側に向けて突出する屋内側耳部係止片３７を一体に形成している。各屋内側耳部係止片３７は、屋内側壁部３２の上端部から突出する水平な横片状部３８と、横片状部３８の先端から下方に突出する係止突部３９とからなるＬ字状であり、係止突部３９は軒樋２の屋内側耳部９の屋外側の面に係止可能となっている。なお屋内側耳部係止片３７の横片状部３８の突出長さは前述の軒樋２の屋内側の外面と鼻板５の外面との間に形成される小間隙２７の屋内外方向の長さと略同じ長さとする。
【００２４】
また集水器本体部３０の屋外側壁部３３の上端部の両側端部には屋内側に向けて突出する屋外側耳部係止片４１を一体に形成している。各屋外側耳部係止片４１は、屋外側壁部３３の上端部から突出する突片部３５と、突片部３５の他方の突片部３５側の端部の先端部から更に屋内側に向けて突出した先片部４０とからなる。突片部３５と先片部４０は先片部４０が下側に位置するように段差をつけて接続してあり、屋外側壁部３３の上端部の内面と先片部４０の間に形成した下方に開口する嵌込凹部４５には軒樋２の屋外側耳部１１の凸部２６を係止できるようになっている。
【００２５】
ここで集水器本体部３０の各屋内側耳部係止片３７の横片状部３８には横片状部３８に対して垂直で略直角三角形状のガイド片４６を上方に向けて一体に突出している。
【００２６】
各ガイド片４６は横片状部３８において他方の屋内側耳部係止片３７側の端部に設けられている。各ガイド片４６の屋外屋外側の端面の下端は横片状部３８の屋外側の端に接続してあり、係止突部３９の屋外側の面に連続している。またこの各ガイド片４６の屋外側の端面は下端から上方に行く程屋内側に位置するように傾斜するガイド傾斜面４４となっている。また各ガイド片４６の屋内側の端は屋内側壁部３２の外面にまで亘り、この屋内側の端面は屋内側壁部３２の外面と面一で連続した垂直な面となっている。
【００２７】
また屋内側壁部３２の各屋内側耳部係止片３７に対応する部分において、ガイド片４６を形成した端部を除く全長に亘る部分には逆Ｌ字状片５０を設けている。各逆Ｌ字状片５０は、屋内側壁部３２を上方に延出してなる垂直な縦片部４８と、縦片部４８の上端部から屋外側に向けて一体に突出する水平な横片部４９とからなり、横片部４９は屋内側耳部係止片３７の上方で且つガイド片４６の上端よりも下方に位置している。各逆Ｌ字状片５０の縦片部４８及び横片部４９のガイド片４６側の端部はガイド片４６の屋内側の端部及び上部に一体に接続されている。また各逆Ｌ字状片５０の横片部４９はガイド片４６の屋内外方向の幅内に収まり、屋外側の先端はガイド傾斜面４４から屋外側には突出していない。
【００２８】
上記各逆Ｌ字状片５０の横片部４９のガイド片４６側の端部には上下に貫通する線材挿通用孔５１を形成している。線材挿通用孔５１は針金からなる図示しない線材を挿通できる程度の孔径を有している。また本例では各屋外側耳部係止片４１の先片部４０にも同様の線材挿通用孔５１を形成している。
【００２９】
集水器１を上記軒先に取付けた一対の軒樋２に取付けるには、集水器本体部３０の軸方向の両端部を各軒樋２の長手方向の端部に下方から被嵌し、既述の各屋内側耳部係止片３７を対応する軒樋２の屋内側の外面と鼻板５の外面との間に形成された小間隙２７を通過させて係止突部３９を屋内側耳部９の外面に係止し、また各屋外側耳部係止片４１の嵌込凹部４５に対応する軒樋２の屋外側耳部１１の凸部２６を係止する。このように軒先に取付けた一対の軒樋２の長手方向の端部間に跨って集水器１を取付けることで、集水器１により一対の軒樋２を直線状に接続し、両側の軒樋２から流れてきた雨水を集水器１の排水口３６から排出できるようになる。
【００３０】
ここで本発明にあっては、屋内側耳部係止片３７から上方に向けて突出するガイド片４６を設け、該ガイド片４６の屋外側の端面の下端を屋内側耳部係止片３７の屋外側の端部に接続し、該ガイド片４６の屋外側の端面を上方に行く程屋内側に位置するように傾斜するガイド傾斜面４４としたので、屋内側耳部係止片３７を小間隙２７に挿入し通過させて屋内側耳部９の外面に係止する際には、ガイド片４６のガイド傾斜面４４を軒樋２の下端屋内側の角部から屋内側板部７の外面に当ててガイドしながら容易に行うことができ、高所における集水器１の取付けが容易になる。
【００３１】
また本例では、各逆Ｌ字状片５０の横片部４９や各屋外側耳部係止片４１の先片部４０に設けた線材挿通用孔５１に針金のような線材を挿通することができ、例えばこの線材挿通用孔５１に挿通した線材を吊具３に設けた孔等（軒樋２や建物であっても良い）に結び付け、これにより集水器１が軒樋２から外れて落下することを防止できる。また例えば屋内側耳部係止片３７の先端を屋外側に延出して、この延出部分に線材挿通用孔５１を形成した場合は、屋内側耳部係止片３７の屋外側への突出量が増加して、屋内側耳部係止片３７を小間隙２７に通過させ難くなったり、また小間隙２７の屋内外方向の寸法を長くしたりする必要があるが、本発明では、屋内側壁部３２を上方に延出してなる縦片部４８と、縦片部４８の上部から屋外側に向けて突出して前記ガイド傾斜面４４よりも屋内側に位置する横片部４９とを設け、横片部４９に線材挿通用孔５１を形成したので、屋内側耳部係止片３７の屋外側への突出量を大きくする必要がなくて、屋内側耳部係止片３７の小間隙２７の通過に支障がない。また上記線材挿通用孔５１を形成した逆Ｌ字状片５０の一端はガイド片４６に一体に接続してあるので、逆Ｌ字状片５０やガイド片４６の強度を向上できる。
【図面の簡単な説明】
【００３２】
【図１】本発明の集水器の取付構造を示す側断面図である。
【図２】同上の取付構造において、集水器を軒樋に接続する前の状態を示す側断面図である。
【図３】同上の集水器の全体斜視図である。
【図４】図３のＡ部拡大図である。
【図５】従来の集水器の取付構造を示す側断面図である。
【符号の説明】
【００３３】
１  集水器
２  軒樋
３  吊具
４  取付面
９  屋内側耳部
１１  屋外側耳部
２７  小間隙
３０  集水器本体部
３１  底部
３３  屋外側壁部
３６  排水口
３７  屋内側耳部係止片
４１  屋外側耳部係止片
４４  ガイド傾斜面
４６  ガイド片
４８  縦片部
４９  横片部
５０  逆Ｌ字状片
５１  線材挿通用孔
【図１】
2008081984.tif 000003
【図２】
2008081984.tif 000004
【図３】
2008081984.tif 000005
【図４】
2008081984.tif 000006
【図５】
2008081984.tif 000007